(57)【要約】      （修正有）【課題】蛍光灯器具を直列に配列させ、各蛍光灯の間に隙間を防ぎ、しかも連結構造を強固にした蛍光灯器具を提供する。【解決手段】チューブ状の蛍光灯ボディ１１１と、前記蛍光灯ボディ１１１の両端部の一側面にそれぞれ設けられた補助チューブ１１２と、前記補助チューブ１１２の内側方向の先端部に形成された端子ピン１１３とから構成される蛍光灯１１０と；内部には前記蛍光灯１１０を点灯させる安定器１０１が設置され、両端部には一定距離をおいて安定器１０１と電気的に連結された連結端子１２５をそれぞれ備えた本体１２０と；前記本体１２０の両端にそれぞれ結合され、外側面には、蛍光灯１１０の端子ピン１１３を固定／支持するような支持孔１１３が形成されるとともに、前記端子ピン１１３の支持孔１１３への出入りを可能とするような出入孔が傾設されたソケット１３０と；からなる。【選択図】図３
2005353464.tif 000002
【特許請求の範囲】
【請求項１】
チューブ状の蛍光灯ボディ（１１１）と、前記蛍光灯ボディ（１１１）の両端部の一側面にそれぞれ設けられた補助チューブ（１１２）と、前記補助チューブ（１１２）の内側方向の先端部に形成された端子ピン（１１３）とから構成された蛍光灯（１１０）と；
内部には前記蛍光灯（１１０）を点灯させる安定器（１０１）が設置され、両端部には一定距離をおいて安定器（１０１）と電気的に連結された連結端子（１２５）をそれぞれ備えた本体（１２０）と；
前記本体（１２０）の両端にそれぞれ結合され、外側面には、蛍光灯（１１０）の端子ピン（１１３）を固定／支持するような支持孔（１３１）が形成されるとともに、前記端子ピン（１１３）の支持孔（１３１）への出入りを可能とするような出入孔（１３２）が傾設されたソケット（１３０）と；からなることを特徴とする蛍光灯器具。
【請求項２】
前記連結端子（１２５）に連結／接続されて外部電源を安定器（１０１）を介して供給できるように、一定長さのボディ（１４１）の一端部に結合端子（１４２）が突設され、他端部には電源コード（１４３）が取り付けられた連結具（１４０）がさらに備えられることを特徴とする請求項１記載の蛍光灯器具。
【請求項３】
前記本体（１２０）を連続的に連結する場合、隣接した連結端子（１２５）同士を連結して電源供給ができるように、一定長さのボディ（１５１）の両端部にそれぞれ結合端子（１５２）が突設された連結具（１５０）がさらに備えられることを特徴とする請求項１記載の蛍光灯器具。
【請求項４】
前記本体（１２０）を連続的に連結する場合、隣接した連結端子（１２５）同士を連結して電源供給ができるように、分離された一対のボディ（１６１）の一端部にそれぞれ結合端子（１６２）が突設されるとともに、他端部は電線（１６３）でそれぞれ連結された連結具（１６０）がさらに備えられることを特徴とする請求項１記載の蛍光灯器具。
【請求項５】
前記連結具を本体（１２０）の連結端子（１２５）に結合する際に、本体（１２０）の脱落を防止する結束手段（１７０）がさらに備えられることを特徴とする請求項２乃至請求項４記載の蛍光灯器具。
【請求項６】
前記結束手段（１７０）は前記ソケット（１３０）の一側面に外側に突設される支持部材（１３５）と、前記連結具のボディにスライド可能に結合され、一側面には前記支持部材（１３５）と結束される係止突部（１７２）が形成された結束具（１７１）とからなることを特徴とする請求項５記載の蛍光灯器具。
【請求項７】
前記蛍光灯ボディ（１１１）と補助チューブ（１１２）との間には補強用ブラケット（１１５）がさらに設置されることを特徴とする請求項１記載の蛍光灯器具。
【請求項８】
安定器（２０５）に、電線（２０６）で連結される第１ボディ（２３０）と；
前記第１ボディ（２３０）を収容した状態で本体（２１０）の両端にそれぞれ結合され、一側面には蛍光灯（２０１）の端子ピン（２０２）を固定／支持するような支持孔（２５２）が形成されるとともに、前記支持孔（２５２）の一側面に前記端子ピン（２０２）の前記支持孔（２５２）への出入りを可能とするような出入孔（２５２）が傾設された第２ボディ（２５０）と；
前記第１ボディ（２３０）の一側面に形成された設置溝（２３１）に前記電線（２０６）と連結された状態で設置されて前記端子ピン（２０２）に弾性的に接触する接続手段（２４０）と；からなることを特徴とする蛍光灯ソケット。
【請求項９】
前記接続手段（２４０）は、前記設置溝（２３１）の下端に固定／結合される下部端子（２４５）と、前記下部端子（２４５）と一定間隔を保持しながら、設置溝（２３１）の上端に設置された弾性部材（２４７）によって下方に付勢可能に設けられた昇降可能な上部端子（２４１）とからなることを特徴とする請求項８記載の蛍光灯ソケット。
【請求項１０】
前記下部端子（２４５）および上部端子（２４１）の互いに対向する面には、前記蛍光灯（２０１）の端子ピン（２０２）を収容する収容溝（２４６）、（２４２）がそれぞれ形成されることを特徴とする請求項９記載の蛍光灯ソケット。
【請求項１１】
前記設置溝（２３１）の両側面には支持突部（２３３）がさらに形成され、前記上部端子（２４１）の両端には、前記支持突部（２３３）に係止されて下部端子（２４５）と一定間隔を保持すべく係止突部（２４３）がさらに形成されることを特徴とする請求項９記載の蛍光灯ソケット。
【請求項１２】
前記第１ボディ（２３０）には弾性部材（２４７）と前記電線（２０６）とを電気的に連結する連結板（２４８）が備えられることを特徴とする請求項９記載の蛍光灯ソケット。
【請求項１３】
前記第１ボディ（２３０）の一側面には、前記下部端子（２４５）と上部端子（２４１）との間に蛍光灯（２０１）の端子ピン（２０２）が出入りできるように、前記第２ボディ（２５０）の出入孔（２５２）と同じ位置に出入溝（２３２）がさらに形成されることを特徴とする請求項９記載の蛍光灯ソケット。
【請求項１４】
前記第２ボディ（２５０）は前記本体（２１０）の両端に結合されるとき、一側面に形成される支持孔（２５１）および出入孔（２５２）が、蛍光灯（２０１）の端子ピン（２０２）形成方向に対応して、外向き、または内向きになるように結合されることを特徴とする請求項８記載の蛍光灯ソケット。
【発明の詳細な説明】
【技術分野】
【０００１】
本発明は、蛍光灯器具に係り、更に詳しくは、蛍光灯器具を直列に配置した場合、蛍光灯器具を規則的に配列させるとともに、各々の蛍光灯の間に生じる隙間によって発生する照明のオフ現象を防止し、連結をさらに簡便にする蛍光灯器具に関する。
【０００２】
また、蛍光灯器具に使用されるソケットの構造を改善して蛍光灯の組立を容易にするととともに、組立後には蛍光灯の回転を防止することで蛍光灯の落下を防ぎ、事故を予防し、蛍光灯破損の危険性を減じた蛍光灯ソケットに関する。
【背景技術】
【０００３】
従来使用されてきた蛍光灯２０は、図１に示すように、蛍光灯２０の両端部に端子ピン２１を取り付けた形であって、このような蛍光灯２０を蛍光灯器具１に取り付けて点灯させる。
【０００４】
最近、蛍光灯２０は、単なる照明の役割だけではなく、ショーケースやショールームなどに設置されて視覚的効果を出す装飾用としての機能を果たすようになり、これに伴い、蛍光灯２０の占有面積を最小化するために蛍光灯２０の断面積を小径化したスリム型蛍光灯２０が多く使われるようになってきている。
【０００５】
このようなスリム型蛍光灯２０は、単に一つを配置することは少なく、多数の蛍光灯２０を直列に連結して使用することが多い。
【０００６】
このようなスリム型蛍光灯２０に対する構造および連結状態については、本出願人が出願した大韓民国特許登録番号第２２１１９５（名称：蛍光ランプ）に詳細に説明されているので、その説明は省略する。
【０００７】
このような小口径の蛍光灯２０（以降、「蛍光灯」の表記は、「スリム型蛍光灯」を指す。）は、最近、直接照明のほかに間接照明や装飾照明などへと利用用途が拡大している。
【０００８】
かかる蛍光灯２０は、蛍光灯２０が装着されるソケット１０が両端部に設けられた本体２を必要とし、該本体２には蛍光灯２０を点灯させるための回路基板やその他必要部品、安定器（図示せず）などが配置される。
【０００９】
蛍光灯器具１は前記本体２に前記蛍光灯２０を装着したもので、前記蛍光灯２０は、その端子ピン２１を前記ソケット１０に差し込んで使用する。
【００１０】
しかし、前記蛍光灯器具１は使用目的によって多数個を直列に連結して使用したい場合、前記蛍光灯器具１を連結／設置する過程において、これらの連結部位では、蛍光灯２０の端子ピン２１をそれぞれ固定するソケット１０によって蛍光灯２０と隣接する蛍光灯２０との間に一定の隙間が発生してしまう。
【００１１】
このように蛍光灯器具１を直列に連結する場合、各蛍光灯２０間に一定の間隔が生じ、このため照明のオフ現象が起こるので、完璧な照明効果を期待しにくいという問題点があった。
【００１２】
かかる問題点を少しでも解消するために連結部位を相互に重ね合わせてジグザグ状に蛍光灯器具１を配置する方法が試みられたが、この場合は蛍光灯２０が一直線に配置できないため、照明が歪んでしまうという問題点があった。
【００１３】
前記ソケット１０は、蛍光灯器具１の本体２にソケットボディ１１を固定結合し、前記ソケットボディ１１の一端には挿入孔１２が形成され、前記挿入孔１２の下端には、蛍光灯２０の端子ピン２１の挿入孔１２への出入りを可能にするような出入溝１３が形成されている。
【００１４】
前記ソケットボディ１１の内部には、安定器（図示せず）と電気的に連結されて電力を蛍光灯２０に供給できるように一定間隔をおいて設置される、弾性を有する一対の接続端子１４が設置される。
【００１５】
前記接続端子１４には蛍光灯２０の端子ピン２１を収容する収容溝１４ａが形成されている。
【００１６】
したがって、前記本体２の両端に設けられた両側ソケット１０の間に蛍光灯２０を装着する際は、蛍光灯２０の端子ピン２１を前記ソケットボディ１１の出入溝１３を通過させて挿入孔１２に位置付けた状態で蛍光灯２０を略９０°回転させて固定する。
【００１７】
すなわち、前記蛍光灯２０を９０°回転させると、端子ピン２１が接続端子１４を両側に広げながら弾性変形させるとともに、端子ピン２１が接続端子１４の収容溝１４ａに位置決めセットされ、蛍光灯２０の組立が完了する。
【００１８】
しかし、前記ソケットボディ１１の下端が前記出入溝１３で常時開放されているので、前記蛍光灯２０を間違って組み立てたり、長時間使用で前記接続端子１４の弾性力が低下した場合、蛍光灯２０の端子ピン２１が出入溝１３を通してソケット１０から脱落するおそれがある。
【００１９】
また、前記ソケット１０の下端も常時開放されているため、脱落を防止するすべがなく、蛍光灯２０がソケット１０から脱落してしまうことにより、蛍光灯２０の破損はもとより重大な事故を起こすおそれがあった。
【発明の開示】
【発明が解決しようとする課題】
【００２０】
かかる従来の問題点を解決するための本発明の目的は、蛍光灯器具を直列に規則的に配列させるとともに、各蛍光灯の間に隙間が発生することを防ぐことにより、美観はもとより照明効果をさらに向上させ、しかも連結構造を強固にした蛍光灯器具を提供することにある。
【００２１】
また、本発明の他の目的は、蛍光灯の着脱を容易にするとともに、組立後には蛍光灯の安定した固定を実現し、回転を防止することにより、蛍光灯の落下を防止して事故を予防し、蛍光灯の破損の危険性を減じた蛍光灯ソケットを提供することにある。
【課題を解決するための手段】
【００２２】
前記目的を達成するために、本発明の蛍光灯器具は、チューブ状の蛍光灯ボディと、前記蛍光灯ボディの両端部の一側面にそれぞれ設けられた補助チューブと、前記補助チューブの内側方向の先端部に形成された端子ピンとから構成される蛍光灯と；内部には前記蛍光灯を点灯させる安定器が設置され、両端部には一定距離をおいて安定器と電気的に連結された連結端子をそれぞれ備えた本体と；前記本体の両端にそれぞれ結合され、外側面には、蛍光灯の端子ピンを固定／支持するような支持孔が形成されるとともに、前記端子ピンの支持孔への出入りを可能とするような出入孔が傾設されたソケットと；からなることを特徴とする。
【００２３】
また、前記目的を達成するために、本発明の蛍光灯器具のソケットは、安定器に、電線で連結される第１ボディと；前記第１ボディを収容した状態で本体の両端にそれぞれ結合され、一側面には蛍光灯の端子ピンを固定／支持するような支持孔が形成されるとともに、前記支持孔の一側面に前記端子ピンの支持孔への出入りを可能とするような出入孔が傾設された第２ボディと；前記第１ボディの一側面に形成された設置溝に前記電線と連結された状態で設置されて前記端子ピンに弾性的に接触する接続手段と；からなることを特徴とする。
【発明の効果】
【００２４】
本発明の蛍光灯器具は、前記蛍光灯器具を連続的に直列配置する場合にも、連結部位の照明オフ現象が防止されて美観および照明効果がさらに向上する。
【００２５】
また、蛍光灯器具を相互に連結する連結具によって簡単に連結作業が行われ、連結後には結束手段によって強固に結合されるので、耐久性に優れている。
【００２６】
なお、前記改善されたソケット構造によって蛍光灯の着脱を容易にすることができる。
【００２７】
しかも、前記蛍光灯の回転を防止してソケットから離脱しないようにできることから、蛍光灯の落下によって発生する事故を未然に防止し、さらに蛍光灯の破損を減らすこともできる。
【発明を実施するための最良の形態】
【００２８】
以下、添付図を参照しつつ本発明を詳細に説明する。
【００２９】
従来技術と同じ部分についての説明は省略する。
【００３０】
図２は本発明に係る蛍光灯器具を示す斜視図であり、図３は本発明に係る蛍光灯器具を示す分解斜視図であり、図４は本発明に係る蛍光灯器具における連結具の他の例を示す斜視図であり、図５および図６は本発明に係る蛍光灯の他の例を示す斜視図である。
【００３１】
図２および図３に示すように、本発明に係る蛍光灯器具１００は大別して、蛍光灯１１０と、一定の形態に折曲形成されて反射板としての役割を兼ねる本体１２０と、前記本体１２０の両端部に固定／結合され、蛍光灯１１０への電源供給の役割を果たすソケット１３０とから構成される。
【００３２】
先ず、前記蛍光灯１１０は、チューブ状の蛍光灯ボディ１１１と、前記蛍光灯ボディ１１１の両端部の一側面にそれぞれ設けられた補助チューブ１１２と、前記補助チューブ１１２の内側方向の先端部にそれぞれ形成された端子ピン１１３とから構成される。
【００３３】
前記蛍光灯１１０については本発明の出願人が先に出願した大韓民国特許出願番号第１０−２００３−００８５１９６号（出願日：２００３年１１月２７日、名称：蛍光灯）に開示されているので、その詳細な説明は省略する。
【００３４】
すなわち、前記蛍光灯１１０は蛍光灯器具１００を直列に配置した場合にも相互に離隔しないので隙間が空かないように隣接配置することができる。
【００３５】
一方、前記蛍光灯ボディ１１１と補助チューブ１１２との間には補強用ブラケット１１５をさらに設置することで、蛍光灯ボディ１１１と補助チューブ１１２間の間隔保持はもとより、補助チューブ１１２を支持して破損などを防止する。
【００３６】
次に、前記本体１２０は、反射板１２１と、反射板１２１の開口上部を覆うカバー１２２とからなり、内部には、外部電源の供給を受けて蛍光灯を点灯させる役割をする通常の安定器１０１が設置される。
【００３７】
また、前記本体１２０の両端部には、一定距離をおいて前記安定器１０１および電線１０２などによって電気的に連結される連結端子１２５がそれぞれ備えられる。
【００３８】
そして、前記ソケット１３０は、安定器１０１および電線１０２によって連結された接続端子（図示せず）が内部に設置され、外側面には蛍光灯１１０の端子ピン１１３を固定／支持するような支持孔１３１が形成されるとともに、支持孔１３１の一側面に前記端子ピン１１３の支持孔１３１への出入りを可能とするような出入孔１３２が傾斜して設けられている。
【００３９】
ここで、前記支持孔１３１は垂直に形成され、前記出入孔１３２は支持孔１３１と連通し、下側に一定角度の傾斜を持たせることが望ましい。
【００４０】
また、前記出入孔１３２は支持孔１３１の下端から一定の高さに形成され、出入孔１３２と支持孔１３１の下端との間に係止部１３３を形成することが望ましい。
【００４１】
すなわち、前記支持孔１３１に蛍光灯１１０の端子ピン１１３が組込まれた後には、前記係止部１３３によって蛍光灯１１０の回転が防止されて蛍光灯１１０のソケット１３０からの離脱を防ぐので、蛍光灯の落下事故を予防することができ、蛍光灯１１０の破損を減らすことができる。
【００４２】
そして、前記接続端子（図示せず）は上部端子と下部端子とから構成され、前記支持孔１３１に蛍光灯１１０の端子ピン１１３が組み込まれると、該端子ピン１１３と弾性的に接触するとともに、安定器１０１からの電源を蛍光灯１１０に供給する。
【００４３】
このように構成された蛍光灯器具１００の連結端子１２５には各種形態の連結具１４０、１５０、１６０が結合され、外部電源の供給や連続的な連結が可能になる。
【００４４】
前記それぞれの連結具１４０、１５０、１６０は図３および図４に示されており、それを説明すると次のようである。
【００４５】
先ず、蛍光灯器具１００の安定器１０１を介して外部電源を供給できるようにする連結具１４０は、一定長さのボディ１４１の一端部に前記連結端子１２５に結合する結合端子１４２が突設され、他端部には任意長さの電源コード１４３が取り付けられる。
【００４６】
そして、蛍光灯器具１００を連続的に連結する場合、隣接した連結端子１２５同士を相互に連結して電源供給を可能にする連結具１５０は、一定長さのボディ１５１の両端部にそれぞれ結合端子１５２が突設される。
【００４７】
また、図４に示すように蛍光灯器具１００を連続的に連結する場合に使用される他の例の連結具１６０を挙げると、隣接した連結端子１２５同士を相互に連結して電源供給を可能にすべく、分離された一対のボディ１６１の一端部にそれぞれの結合端子１６２が突設されるとともに、他端部は所定長さの電線１６３でそれぞれ連結される。
【００４８】
また、前記連結端子１２５が本体１２０の両端に結合されたソケット１３０の内側方向の底部に設置されることにより、外部に露出しないとともに、本体１２０を取り替える際には垂直方向に取り出すことができるので、本体１２０の脱着が極めて容易になる。
【００４９】
すなわち、天井に固定設置された連結具１４０、１５０、１６０の各結合端子１４２、１５２、１６２に本体１２０の連結端子１２５を垂直に挿入することで済むので、本体１２０を容易に取り替えることができる。
【００５０】
そして、前記本体１２０の連結端子１２５の連結具１４０、１５０、１６０への結合に際して、本体１２０の脱落を防止する結束手段１７０が備えられる。
【００５１】
前記結束手段１７０は，前記ソケット１３０の一側面に外向きに突設される支持部材１３５と、前記連結具１４０、１５０、１６０のボディ１４１、１５１、１６１にスライド可能に結合され、一側面には前記支持部材１３５と結束される係止突部１７２を有する結束具１７１とから構成される。
【００５２】
そして、前記連結具１４０、１５０、１６０のボディ１４１、１５１、１６１には、蛍光灯器具１００を天井などに固定するために使用される締結孔１４５、１５５、１６５がさらに形成される。
【００５３】
一方、前述した連結具１４０、１５０、１６０のほかに、前記本体１２０間の電源連結に電線を使用することもできる。この場合には前記本体１２０の両端に結合されたソケット１３０に通路（図示せず）を形成して電線で連結する。
【００５４】
図５および図６は本発明に係る蛍光灯１１０の他の例を示す斜視図であって、同図に示すように、端子ピン１１３をそれぞれ内側に向けるように、蛍光灯ボディ１１１の両端部をそれぞれ内側に折り曲げて補助チューブ１１２を形成するが、このとき、蛍光灯ボディ１１１および補助チューブ１１２は平行にした方が良い。
【００５５】
前記蛍光灯１１０は一例に過ぎないもので、さらに様々な形態に変形することもできる。
【００５６】
以下、本発明に係る蛍光灯器具１００の作用を説明する。
【００５７】
先ず、前記蛍光灯１１０の端子ピン１１３を前記ソケット１３０の傾斜した出入孔１３２に沿って押し込んで一対の端子ピン１１３を前記支持孔１３１内に位置付けることによって、蛍光灯１１０の組立が簡単に完了する。
【００５８】
すなわち、前記蛍光灯１１０の端子ピン１１３が出入孔１３２に沿って支持孔１３１の内に挿入されると、前記端子ピン１１３は前記接続端子に弾性的に接触され、これにより安定器１０１と蛍光灯１１０とが電気的に連結され、安定器１０１からの電源を受けるようになる。
【００５９】
また、前記蛍光灯１１０の端子ピン１１３は支持孔１３１の下端に安定的に安着し、前記係止部１３３によって回転が防止されるため、蛍光灯１１０の落下事故を予防することができ、破損を減らすことができる。
【００６０】
そして、蛍光灯１１０をソケット１３０から取り外したい場合は、蛍光灯１１０を上側に持ち上げて端子ピン１１３を支持孔１３１内の上側に位置させ、前記係止部１３３を超えた状態で蛍光灯１１０を一定角度回転させて端子ピン１１３を前記出入孔１３２から引き出すことにより、ソケット１３０から簡単に取り外すことができる。
【００６１】
また、蛍光灯器具１１０を直列および連続的に連結したいときは、各蛍光灯器具１１０の本体１２０の両端部側に備えられた連結端子１２５を前記連結具１４０、１５０、１６０に簡単に接続／結合し、次いで、前記結束具１７１をソケット１３０側にスライドさせることで結束具１７１の係止突部１７２がソケット１３０の支持部材１３５に結束される。これにより、本体１２０が連結具１４０、１５０、１６０に強固に固定されるとともに、直列連結の蛍光灯器具１００がさらに強固に連結／固定される。
【００６２】
次に、前述した蛍光灯器具または現在まで一般に使用されている蛍光灯器具に使用されるソケットに対する本発明の一実施例を、添付図を参照して詳細に説明する。
【００６３】
先ず、図７に示すように、本発明の最も基本的な蛍光灯器具２００の構造は、一定の形態で折曲形成されて反射板としての役割を兼ねる本体２１０と、前記本体２１０の両端に固定／結合されて電源供給の役割を果たすソケット２２０と、両端が前記各ソケット２２０に支持／結合されて電源の供給を受けて点灯する蛍光灯２０１とから構成される。
【００６４】
ここで、前記本体２１０は、反射板２１１と、反射板２１１の開口上部を覆うカバー２１２とから構成され、内部には外部電源の供給を受ける通常の安定器２０５が設置される。
【００６５】
また、前記蛍光灯２０１には、ソケット２２０を介して電源の供給を受ける各一対の端子ピン２０２が両側に備えられている。
【００６６】
前述した蛍光灯器具２００において、前記ソケット２２０は、図８に示されるように、安定器２０５に電線２０６で連結される第１ボディ２３０と、前記第１ボディ２３０を収容した状態で本体２１０の両端にそれぞれ結合される第２ボディ２５０と、前記第１ボディ２３０の一側面に形成された設置溝２３１に前記電線２０６と連結された状態で設置され、前記端子ピン２０２に弾性的に接触する接続手段２４０とから構成される。
【００６７】
前記第２ボディ２５０は、一側面に蛍光灯２０１の端子ピン２０２を固定／支持するような支持孔２５２が形成され、一方、蛍光灯２０１の端子ピン２０２が前記支持孔２５１に出入りできるように、支持孔２５１の一側面に出入孔２５２が所定角度に傾設されている。
【００６８】
ここで、前記支持孔２５１は垂直に形成され、前記出入孔２５２は支持孔２５１と連通するとともに、下側に所定角度をもって傾設されている。
【００６９】
また、前記出入孔２５２は支持孔２５１の下端から一定の高さに形成され、同時に出入孔２５２と支持孔２５１の下端との間に係止部２５３を形成することが望ましい。
【００７０】
すなわち、前記支持孔２５１に蛍光灯２０１の端子ピン２０２が組み込まれた後には前記係止部２５３によって蛍光灯２０１の回転が防止されるよう形成することが望ましい。
【００７１】
また、前記第２ボディ２５０の他側面には前記第１ボディ２３０を収容し得る結合溝２５４が形成される。
【００７２】
一方、前記支持孔２５１の最大長さは一対の端子ピン２０２の間隔より長くすることが必要である。
【００７３】
そして、前記接続手段２４０は、前記設置溝２３１の下端に固定／結合される下部端子２４５と、前記下部端子２４５と一定間隔を保持しながら、設置溝２３１上端に設置された弾性部材２４７によって下方に付勢可能に設けられた昇降可能な上部端子２４１とからなる。
【００７４】
ここで、前記下部端子２４５および上部端子２４１は安定器２０５に接続された電線２０６とそれぞれ電気的に連結される。この際、前記上部端子２４１は、前記弾性部材２４７と電線２０６とを電気的に連結すべく一定形状に折り曲げられ、第１ボディ２３０に固定結合された連結板２４８によって安定器２０５と電気的に連結される。
【００７５】
また、前記設置溝２３１の両側面には支持突部２３３がさらに形成され、前記上部端子２４１の両端には、前記支持突部２３３に係止されて下部端子２４５と一定間隔を保持すべく係止突部２４３がさらに形成される。
【００７６】
そして、前記下部端子２４５および上部端子２４１の互いに対向する面には、蛍光灯２０１の端子ピン２０２を収容する収容溝２４６、２４２がそれぞれ形成される。
【００７７】
また、前記第１ボディ２３０の一側面には、前記設置溝２３１に設置された下部端子２４５と上部端子２４１との間に蛍光灯２０１の端子ピン２０２が出入りできるように、前記第２ボディ２５０の出入孔２５２と同一の位置に出入溝２３２がさらに形成される。
【００７８】
そして、前記第１ボディ２３０を収容した第２ボディ２５０は前記本体２１０の両端に結合するとき、一側面に形成された支持孔２５１および出入孔２５２が外向きになるように結合される。
【００７９】
一方、前記支持孔２５１および出入孔２５２が、図１０のように内向きになるようにソケット２２０の構造を変形して結合することもできる。この場合には従来使用してきた一般的な蛍光灯２０１ａを組み立てることができる。
【００８０】
このように、本発明のソケット２２０は、蛍光灯２０１の端子ピン２０２形成方向に対応して、前記第２ボディ２５０の支持孔２５１および出入孔２５２を外向きにして結合することも、または内向きにして結合することもできるので、さらに様々な状態の蛍光灯２０１、２０１ａの組立が可能である。
【００８１】
前記弾性部材２４７としては、板ばね、コイルばね等、通常の弾性部材が使用可能である。
【００８２】
以下、本発明に係る蛍光灯ソケット２２０の作用を説明する。
【００８３】
まず、前記第１ボディ２３０の設置溝２３１に接続手段２４０を設置し、この際、前記接続手段２４０は、安定器２０５に電線２０６を介して電気的に連結される。このように接続手段２４０が設置された第１ボディ２３０は、前記第２ボディ２５０の結合溝２５４に収容される。
【００８４】
この時、前記第１ボディ２３０の出入溝２３２と第２ボディ２５０の出入孔２５２とは一致することになり、ここを通って蛍光灯２０１の端子ピン２０２が支持孔２５１の内部に出入りすることになる。
【００８５】
前記第１ボディ２３０が第２ボディ２５０に収容／結合された後、第２ボディ２５０を前記本体２１０の両端にそれぞれ結合することによってソケット２２０の組立が完了する。
【００８６】
その後、蛍光灯２０１をソケット２２０に装着する。先ず、蛍光灯２０１の端子ピン２０２を前記第２ボディ２５０の傾斜した出入孔２５２に沿って押し込み、一対の端子ピン２０２を前記支持孔２５１内に位置付けることによって蛍光灯２０１の組立が完了する。
【００８７】
すなわち、前記蛍光灯２０１の端子ピン２０２は出入孔２５２に沿って支持孔２５１内部に挿入されるとき、先ず前記上部端子２４１に接触するとともに上部端子２４１を上側に所定距離移動させながら支持孔２５１内部へと挿入される。前記端子ピン２０２が前記支持孔２５１の内部に完全に挿入されると、前記弾性部材２４７の弾性復元力によって上部端子２４１が下方に付勢され、端子ピン２０２を支持孔２５１の下端に密着させる。これにより、一対の端子ピン２０２は上部端子２４１および下部端子２４５に接続されるようになる。
【００８８】
なお、上部端子２４１は端子ピン２０２を下側に向けて所定の弾性力で加圧／支持し、これにより蛍光灯２０１の端子ピン２０２は支持孔２５１の下端に安着するとともに、安着後には前記係止部２５３によって回転が防止される。
【００８９】
次に、蛍光灯２０１をソケット２２０から取り外す場合を説明する。蛍光灯２０１を上側に持ち上げると、端子ピン２０２が前記上部端子２４１を上側に所定距離移動させることになり、この時、端子ピン２０２が支持孔２５１の下端から離れることになる。このように端子ピン２０２が支持孔２５１の下端から離れ、係止部２５３を超えた時点で蛍光灯２０１を所定角度回転させて端子ピン２０２を前記出入孔２５２から引き出すことにより、ソケット２２０から簡単に取り外すことができる。
【００９０】
このように、本発明のソケットは蛍光灯を使用する全ての蛍光灯器具に適用することができる。
【図面の簡単な説明】
【００９１】
【図１】従来の蛍光灯器具を示す斜視図である。
【図２】本発明に係る蛍光灯器具を示す斜視図である。
【図３】本発明に係る蛍光灯器具を示す分解斜視図である。
【図４】本発明に係る蛍光灯器具における連結具の他の例を示す斜視図である。
【図５】本発明に係る蛍光灯の他の例を示す斜視図である。
【図６】本発明に係る蛍光灯の他の例を示す斜視図である。
【図７】本発明に係る蛍光灯のソケットを示す斜視図である。
【図８】図７に示すソケットを分解した状態を示す分解斜視図である。
【図９】図９ａ乃至図９ｃは図７に示すソケットに蛍光灯が組み立てられる状態を示す組立図である。
【図１０】本発明に係る蛍光灯のソケットの他の実施例であって、支持孔および出入孔が内向きになるように結合された状態を示す斜視図である。
【符号の説明】
【００９２】
１００    蛍光灯器具
１０１    安定器
１０２、１６３    電線
１１０    蛍光灯
１１１    蛍光灯ボディ
１１２    補助チューブ
１１３    端子ピン
１１５    ブラケット
１２０    本体
１２１    反射板
１２２    カバー
１２５    連結端子
１３０    ソケット
１３１    支持孔
１３２    挿入孔
１３３    係止部
１３５    支持部材
１４０、１５０、１６０    連結具
１４１、１５１、１６１    ボディ
１４２、１５２、１６２    結合端子
１４３    電源コード
１４５、１５５、１６５    締結孔
１７０    結束手段
１７１    結束具
１７２    係止突部
２００    蛍光灯器具
２０１、２０１ａ    蛍光灯
２０２    端子ピン
２０５    安定器
２０６    電線
２１０    本体
２１１    反射板
２１２    カバー
２２０    ソケット
２３０    第１ボディ
２３１    設置溝
２３２    出入溝
２３３    支持突部
２４０    接続手段
２４１    上部端子
２４２、２４６    収容溝
２４３    係止突部
２４５    下部端子
２４７    弾性部材
２４８    連結板
２５０    第２ボディ
２５１    支持孔
２５２    出入孔
２５３    係止部
２５４    結合溝
【図１】
2005353464.tif 000003
【図２】
2005353464.tif 000004
【図３】
2005353464.tif 000005
【図４】
2005353464.tif 000006
【図５】
2005353464.tif 000007
【図６】
2005353464.tif 000008
【図７】
2005353464.tif 000009
【図８】
2005353464.tif 000010
【図９】
2005353464.tif 000011
【図１０】
2005353464.tif 000012